(57)【特許請求の範囲】
【請求項１】
ポリゴンスキャナを光学ハウジング内に搭載する光走査装置において、
前記ポリゴンスキャナは、光源からの光ビームを反射するポリゴンミラーと、該ポリゴンミラーを回転可能に支持する軸受と、前記ポリゴンミラーを回転駆動するポリゴンモータの構成要素を搭載するスキャナ基板とを有し、前記軸受の一部が前記ポリゴンミラーと反対側の前記スキャナ基板面に突出しており、
前記ポリゴンスキャナが装着されるスキャナユニット装着部を、少なくとも前記ポリゴンミラー平面形状の周囲を囲むように前記光学ハウジングの底板から突出する凸部として設け、該凸部が、前記スキャナ基板の周辺部に沿って連続する壁状に形成され、
前記凸部の上面に前記スキャナ基板が直接接触して密着されることにより、前記凸部と前記光学ハウジングの底板により前記ポリゴンスキャナの底部を覆う空間部が閉鎖空間として形成されることを特徴とする光走査装置。
【請求項２】
前記凸部が、前記スキャナ基板の平面形状と略同形状の上面形状を有するように前記スキャナユニット装着部全体が前記光学ハウジングの底板から突設されることを特徴とする、請求項１に記載の光走査装置。
【請求項３】
前記軸受の突出部を逃げる逃げ部が、前記光学ハウジングの底板または前記スキャナユニット装着部の上面に凹部として形成されていることを特徴とする、請求項１に記載の光走査装置。
【請求項４】
前記スキャナ基板に、少なくとも励磁コイル、磁石、ホール素子、配線及びコネクタが実装されることを特徴とする、請求項１〜３のいずれか１項に記載の光走査装置。
【請求項５】
前記スキャナ基板が、鉄基板またはガラスエポキシ基板の下に鉄板が付いた構成であることを特徴とする、請求項１〜４のいずれか１項に記載の光走査装置。
【請求項６】
前記ポリゴンスキャナを制御する駆動回路が、前記スキャナ基板に含まれることを特徴とする、請求項１に記載の光走査装置。
【請求項７】
前記ポリゴンミラーを覆うカバー部材が前記スキャナ基板に固定して設けられることを特徴とする、請求項１〜６のいずれか１項に記載の光走査装置。
【請求項８】
請求項１〜７のいずれか１項に記載の光走査装置を具備することを特徴とする画像形成装置。
【発明の詳細な説明】
【技術分野】
【０００１】
本発明は、デジタル複写機やレーザプリンタ等の書込系に用いられる光走査装置とそれを搭載する画像形成装置に関する。
【背景技術】
【０００２】
【特許文献１】特開２００６−３５５７０号公報
【特許文献２】特開平８−２０００号公報
【特許文献３】特開２００１−２９６４９５号公報
【特許文献４】特許２７７４４４４号公報
【特許文献５】特開２００２−１０７６４９号公報
【０００３】
レーザービームプリンタ、デジタル複写機、レーザーファクシミリなどの画像形成装置は、像担持体（感光体）上に潜像を書き込むための光走査装置を備えている。その光走査装置として、光源からの光束（光ビーム）を回転偏向器により偏向して感光体を露光走査するよう構成されたものがある。
【０００４】
また、近年の画像形成装置ではプリント速度の高速化や画素密度の高密度化が要求されており、それに対応するために４０，０００〜５０，０００ｒｐｍで高速回転するポリゴンスキャナが要求されている。高速回転を達成する中で、モーター部振動音とポリゴンスキャナの高速回転による消費電力増大に伴う発熱量の増大はポリゴンスキャナを開発する上で、大きな技術課題となっている。
【０００５】
騒音に対する課題に関し、高速化や高密度化への対応の他に、装置の静音化設計も求められており、装置性能における騒音という問題点でポリゴンスキャナが発する音がクローズアップされ、システムとしての静音化設計を達成することが重要である。
【０００６】
「モーター部振動音」とは、以下の４点に分類することができる、１）ポリゴンミラー風切り音、２）回転シャフトのうねりによる振動音、３）モーターの巻き線コイルによる励磁音、４）軸受摩擦振動音、これらの音全ては振動音として外部に伝わって行き、音漏れという形で騒音という問題項目になる。
【０００７】
また、ポリゴンスキャナの高速回転を達成するために、必要とする電流値も上がることになり、消費電力増大に伴う発熱量の増大による光走査装置（書込ユニット）内部の温度上昇は当然のことながら予測できる問題点である。光走査装置はレーザーの走査線上にゴミなどが入ってしまうと、ゴミにレーザーがケラレてしまい画像出力時に白スジという問題項目になってしまう。そのため光走査装置はゴミの進入を防ぐために、完全な密閉構造にしなければならない。
【０００８】
光走査装置内には特に熱に弱いレンズなどの走査光学系部品が、多数実装されているため、密閉筐体内に熱源のポリゴンスキャナを搭載するには、効率の良い排熱構造にする工夫が必要になってくる。ポリゴンスキャナ単体で騒音量低減や効率の良い排熱構造を達成するのは、近年要求されている４０，０００ｒｐｍ以上のポリゴンスキャナ仕様では、限界の域に来ていると言える。
【０００９】
これらへの対策技術が例えば特許文献１〜４などにおいて提案されている。
特許文献１では、走査光学系部品が搭載される光学ハウジングにポリゴンスキャナを取り付けるために、別部材のポリゴンスキャナ取り付け部材を設け、画像形成装置の本体フレームに光学ハウジングとポリゴンスキャナ取り付け部材を取り付ける構造が提案されている。
【００１０】
また、特許文献２では、走査光学系部品は光学ハウジングに取り付け、ポリゴンスキャナは画像形成装置の本体フレームに取り付け、ポリゴンスキャナの振動が直接走査光学系に伝わらない構造が提案されている。
【００１１】
また、特許文献３では、放熱部材でポリゴンスキャナを密閉し、放熱と騒音低減を行う構造が提案されている。
また、特許文献４では、ポリゴンスキャナ単体構成の中の、ポリゴンミラー搭載範囲を完全密閉することで、音漏れ防止構造とした構造が提案されている。
【００１２】
また、特許文献５では、ポリゴンスキャナ単体構成の中で、ポリゴンミラーによる風切り音の漏れを低減するために、弾性シール部材を設けた構造が提案されている。
【発明の開示】
【発明が解決しようとする課題】
【００１３】
しかしながら、特許文献１に記載のものにおいては、本体フレームに直接ポリゴンスキャナ取り付け部材を固定しているため、ポリゴンミラー面倒れ特性が本体フレームの組立精度に左右されてしまうため、副走査方向のピッチむらが発生する懸念がある。またポリゴンスキャナの傾き取り付けにより、ポリゴンミラー有効範囲をレーザ光が外れる懸念もあるため、量産対応が難しい構造になっている。
【００１４】
また、特許文献２に記載のものにおいては、本体フレームに直接ポリゴンスキャナを固定しているため、ポリゴンミラー面倒れ特性が本体フレームの組立精度に左右されてしまうため、副走査方向のピッチむらが発生する懸念がある。またポリゴンスキャナの傾き取り付けにより、ポリゴンミラー有効範囲をレーザ光が外れる懸念もあるため、量産対応は難しい構造になってしまう。
【００１５】
また、特許文献３に記載のものにおいては、ポリゴンミラーの面倒れ特性上、放熱部材の光学ハウジング接触面の面精度出しと、ポリゴンスキャナ基板の取り付け面の面精度出しが必要になる。したがって、プレス品の放熱部材の使用は難しく、また放熱部材との共振懸念もある。また発熱源のポリゴンスキャナを小スペースで完全密閉にするため、熱の問題もクリアされない構造になっている。
【００１６】
また、特許文献４に記載のものにおいては、ポリゴンスキャナ基板をポリゴンハウジングに固定し、次に光学ハウジングに固定するという構成であるため、近年要求されている高速回転に対応する効率の良い排熱構造ではない。排熱経路には、熱抵抗となる部品を極力搭載しない方が排熱効率が上がるためである。
【００１７】
また、特許文献５に記載のものも、効率の良い排熱が行なわれるものではなく、近年の高速回転型ポリゴンスキャナにおける騒音抑制と発熱防止を実現できるものではない。
【００１８】
本発明は、従来の光走査装置における上述の問題を解決し、ポリゴンスキャナにおける振動音を抑制でき効率の良い排熱を実現し、高品質な書込み画像を得ることのできる光走査装置及び画像形成装置を提供することを課題とする。
【課題を解決するための手段】
【００１９】
前記の課題は、本発明により、ポリゴンスキャナを光学ハウジング内に搭載する光走査装置において、前記ポリゴンスキャナは、光源からの光ビームを反射するポリゴンミラーと、該ポリゴンミラーを回転可能に支持する軸受と、前記ポリゴンミラーを回転駆動するポリゴンモータの構成要素を搭載するスキャナ基板とを有し、前記軸受の一部が前記ポリゴンミラーと反対側の前記スキャナ基板面に突出しており、前記ポリゴンスキャナが装着されるスキャナユニット装着部を、少なくとも前記ポリゴンミラー平面形状の周囲を囲むように前記光学ハウジングの底板から突出する凸部として設け、該凸部が、前記スキャナ基板の周辺部に沿って連続する壁状に形成され、前記凸部の上面に前記スキャナ基板が直接接触して密着されることにより、前記凸部と前記光学ハウジングの底板により前記ポリゴンスキャナの底部を覆う空間部が閉鎖空間として形成されることにより解決される。
【００２０】
また、前記凸部が、前記スキャナ基板の平面形状と略同形状の上面形状を有するように前記スキャナユニット装着部全体が前記光学ハウジングの底板から突設されると好ましい。
【００２１】
また、前記軸受の突出部を逃げる逃げ部が、前記光学ハウジングの底板または前記スキャナユニット装着部の上面に凹部として形成されていると好ましい。
【００２２】
また、前記スキャナ基板に、少なくとも励磁コイル、磁石、ホール素子、配線及びコネクタが実装されると好ましい。
また、前記スキャナ基板が、鉄基板またはガラスエポキシ基板の下に鉄板が付いた構成であると好ましい。
【００２３】
また、前記ポリゴンスキャナを制御する駆動回路が、前記スキャナ基板に含まれると好ましい。
また、前記ポリゴンミラーを覆うカバー部材が前記スキャナ基板に固定して設けられると好ましい。
【００２４】
また、前記の課題は、本発明により、請求項１〜７のいずれか１項に記載の光走査装置を具備する画像形成装置により解決される。
【発明の効果】
【００２５】
本発明の光走査装置によれば、光学ハウジングの底板から突設させた凸部の上面にスキャナ基板を直接接触させて密着させることにより、その凸部と光学ハウジングの底板によりポリゴンスキャナの底部を覆って密閉するので、スキャナ基板に実装されるポリゴンモータによる振動音の外部（ハウジング外）への漏れを効果的に防ぐことができ、光走査装置の静音化を実現することができる。
【００２６】
また、スキャナ基板が上記凸部の上面に直接接触して密着されるので、スキャナ基板から凸部（光学ハウジング）への熱伝導効率に優れ、高速回転に伴う軸受の発熱及び高速回転による消費電力増大に伴う基板の発熱を効率的に排熱することができ、ポリゴンスキャナにおける発熱防止を実現することができる。
【００２７】
さらに、スキャナユニット装着部を光学ハウジングの底板から突出する凸部として設けたことにより、スキャナ基板の取付面となる上記凸部上面の２次加工を行なうことが可能となり、面精度を高めることができることによって、ポリゴンスキャナと光学ハウジングとの隙間からの音漏れをより低減できるとともに、排熱能力を向上させることができる。
【００２８】
請求項２の構成により、スキャナ基板の取付面の面積を最大とすることができ、排熱能力をより高めることができる。
【００２９】
請求項３の構成により、スキャナ基板の底面に軸受の一部が突出する構成であっても、スキャナ基板と上記凸部上面とを直接に密着させることが可能となる。
請求項４の構成により、スキャナ基板上に実装したポリゴンモータの振動音の漏れ防止とモータ部で発生した熱の排熱とを行なうことができる。
【００３０】
請求項５の構成により、スキャナ基板の強度、磁気シールド性及び排熱効率を高めることができる。
請求項６の構成により、ポリゴンスキャナの制御基板（駆動回路）をスキャナ基板と一体にすることで、部品点数を削減してコスト抑制できるとともに、光走査装置の省スペース化を図ることができる。
【００３１】
請求項７の構成により、スキャナ基板上方への音及び熱の伝達を防ぎ、ポリゴンスキャナの静音化及び排熱性向上を図ることができる。
請求項８の画像形成装置によれば、ポリゴンスキャナにおける振動音を抑制でき効率の良い排熱を実現し、高品質な書込み画像を得ることができる。
【発明を実施するための最良の形態】
【００３２】
以下、本発明の実施の形態を図面に基づいて説明する。
図１は、本発明に係る光走査装置の一例における要部構成を示す斜視図である。この図に示す光走査装置１００は、光学ハウジング１０１の底板部にスキャナユニット装着部１０２が設けられており、該装着部１０２にポリゴンスキャナ１１０が装着固定される。また、光学ハウジング１０１内には、ｆθレンズ１０３，長尺レンズ１０４，反射鏡１０５等の光学素子や、光源であるレーザダイオードを搭載する光源ユニット１０６等が取り付けられて保持される。
【００３３】
図２は、光学ハウジング１０１の一部とともに、ポリゴンスキャナ１１０を分解して示す模式図である。また、図３は、ポリゴンススキャナの要部構成を示す斜視図である。これらの図に示すように、ポリゴンスキャナ１１０は、ポリゴンミラー１１１と、ポリゴンミラー１１１を固定し回転させる回転シャフト１１２と、回転シャフト１１２を支持する軸受１１３と、スキャナ基板１１４及びポリゴンカバー１１５から構成されている。なお、符号１０７は、ポリゴンカバー１１５をスキャナ基板１１４に固定するためのネジである。また符号１０８は、ポリゴンスキャナ１１０を光学ハウジング１０１（のスキャナユニット装着部１０２）に装着するためのネジである。
【００３４】
ポリゴンミラー１１１は、光源ユニット１０６（図１）のレーザダイオードから出射された光ビームを反射させる多面鏡であり、回転シャフト１１２に固定され軸受１１３を介してスキャナ基板１１４に回転可能に支持される。スキャナ基板１１４は、ポリゴンミラー１１１の回転駆動に必要な最低限の要素、例えば励磁コイル、磁石、ホール素子、配線及びコネクタを実装してポリゴンモータを構成する基板である。このスキャナ基板１１４は、本例では鉄基板またはガラスエポキシ基板の下に鉄板が付いた構成となっており、強度，磁気シールド，放熱効率に優れたものとなっている。
【００３５】
図４に、スキャナ基板の構成例を示す。この図に示すスキャナ基板１１４には、ポリゴンカバー１１５を固定するための３個所のネジ穴１１８及びポリゴンスキャナ１１０を光学ハウジング１０１に固定するための３個所のネジ穴１１９が設けられている。軸受１１３は、基板中心部に設けられた穴から回転シャフト１１２（図３）を受ける円筒部１１３ａを突出させて基板１１４に装着される。その軸受円筒部１１３ａを囲むようにして励磁コイル１１６が実装される。また、基板端部に位置してコネクタ１１７が設けられている。コネクタ１１７には、駆動回路１０９（図１）から図示しないハーネスが接続される。
【００３６】
なお、本例では、スキャナ基板１１４に対して電流値などを制御し、ポリゴンスキャナ１１０を制御する制御基板１０９（ポリゴンスキャナの駆動回路）を、スキャナ基板１１４とは別個に設けた構成であるが、制御基板をスキャナ基板と一体に設け、ポリゴンスキャナに搭載する構成も可能である。
【００３７】
そして、スキャナ基板１１４に回転可能に支持されたポリゴンミラー１１１を覆うようにポリゴンカバー１１５を被せてスキャナ基板１１４にネジ１０７により固定してポリゴンスキャナ１１０を構成し、そのポリゴンスキャナ１１０を光学ハウジング１０１のスキャナユニット装着部１０２にネジ１０８により固定する（図１，５参照）。
【００３８】
さて、ポリゴンミラー１１１が高速で回転されることにより、ポリゴンスキャナは発熱して温度上昇が起きるため、効率良く排熱する必要がある。そこで、本実施形態では、ポリゴンスキャナ１１０のスキャナ基板１１４を、直接光学ハウジング１０１に取り付けるように構成している。すなわち、図２及び図５に示されるように、光学ハウジング１０１の底部にはスキャナユニット装着部１０２が設けられているが、このスキャナユニット装着部１０２は、ハウジング１０１の底板１０１ａから突設された壁部１０２ａとして構成されている。壁部１０２ａは、スキャナ基板１１４の平面形状（本例では略四角形）に対応して略四角形に連続した壁状に形成されており、壁部１０２ａで囲まれた内側部分１０２ｂは周囲の壁部１０２ａから一段低くなっている（ハウジング底板と同じ高さ）。この壁部１０２ａの上面にスキャナ基板１１４が装着される。スキャナユニット装着部１０２の中央部には、軸受１１３を逃がすための凹部１０２ｃが形成されている。図１，２ではハウジング１０１の底板に円形の穴が開いているように（開口のように）見えるが、実際は貫通穴ではなく、図５に示されるように、ハウジング底板面から一段低くなった凹みである。
【００３９】
このように、本実施形態においては、スキャナユニット装着部１０２のハウジング底板に開口を設けず、ハウジング底板から突設させた壁部１０２ａ上面にスキャナ基板１１４を直接取り付け固定することにより、ハウジング底板１０１ａと壁部１０２ａとによりポリゴンスキャナ１１０の底部を覆って密閉するため、ポリゴンスキャナの振動音の外部への音漏れを効果的に防止でき、光走査装置及び画像形成装置の静音化を実現することができる。
【００４０】
また、本実施形態においては、スキャナ基板１１４が直接取り付けられる壁部１０２ａは、光学ハウジングの底板１０１ａから一段高く形成され、その上面（取付面）に、ポリゴンスキャナのスキャナ基板１１４を直接に取り付け固定している。上記取付面（壁部１０２ａの上面）をハウジングの底板から一段高くして設けたことにより、取付面の２次加工を行なうことが可能となり、面精度を高めることができる。これにより、ポリゴンスキャナ１１０（のスキャナ基板１１４）と取付面との密着性を高めることができ、ポリゴンスキャナと光学ハウジングとの隙間からの音漏れを防いで音響レベルを低減させることができる。上記したように、ポリゴンスキャナの軸受１１３は貫通穴ではなく凹部１０２ｃによって逃げるため、図５に示されるように、スキャナユニット装着部１０２は閉鎖空間として形成され、ポリゴンスキャナ１１０（のスキャナ基板１１４）と取付面とが密着されていることと合わせて、ポリゴンモータ回転部が完全に密閉されるために高い防音効果を発揮することができる。
【００４１】
さらに、スキャナ基板１１４と取付面との密着性が高いことから排熱能力（スキャナ基板１１４から光学ハウジング１０１への熱伝導効果）も高まり、ポリゴンミラー１１１の高速回転による温度上昇を効率良く排熱して、ポリゴンスキャナの発熱を効果的に防止することができる。なお、本例では、図６に示すように、光学ハウジング１０１の裏面側には複数のフィン１２０が設けられており、表面積を増大させて放熱能力を高めるヒートシンクの役目を持たせている。
【００４２】
図７は、本実施形態の光走査装置の音響レベルを測定したグラフ及び所定の周波数における音響レベルを示す表である。グラフの横軸は周波数（ｋＨｚ）、縦軸は音響レベル（ｄｂ）である。また、図８，９はそれぞれ、ポリゴンスキャナと光学ハウジングとの間に隙間を有する構造の比較例１，２を用いて音響レベルを測定したものである。これらのグラフ及び表から分かるように、全体的な音響レベル（Overall）及びピークレベルの双方とも、本実施形態のものは比較例よりも低減しており、光走査装置の静音化が実現されている。
【００４３】
図１０は、本発明による光走査装置の第２実施例を示すものである。この第２実施例では、上記第１実施例が有している壁部１０２ａで囲まれた内側部分１０２ｂ（図２，５参照）が設けられておらず、スキャナユニット装着部１０２全体がハウジング底板から一段高くなった取付面１０２ｄとして設けられている。本例では、軸受１１３を逃げる凹部１０２ｃは、基板取付面１０２ｄに凹部として形成されている。これ以外の構成は第１実施例と同じであるので重複する説明は省略する。
【００４４】
本第２実施例では、スキャナユニット装着部１０２の全体が基板取付面１０２ｄとして設けられていることにより、スキャナ基板１１４の平面形状と取付面１０２ｄの上面形状とが略同形状となり、取り付け面の面積が大幅に増大されて排熱能力が大きく向上される。そのため、ポリゴンスキャナの発熱をさらに効果的に防止することができる。
【００４５】
次に、本実施形態の光走査装置における書き込み動作について主に図１を参照して簡単に説明する。光源ユニット１０６から出射された走査光は、図示しないシリンダレンズを通過した後に図示しないミラーにより折り返され、スキャナユニット装着部１０２に装着されたポリゴンスキャナ１１０に導かれる。そのポリゴンスキャナ１１０のポリゴンミラー１１１に反射された走査光は、ｆθレンズ１０３及び長尺レンズ１０４を通り、反射鏡１０５で反射され、光学ハウジング１０１から図において下方に出射され、走査対象である画像形成装置の感光体（図示せず）を走査する。
【００４６】
最後に、本発明による光走査装置を備える画像形成装置の一例を図１１を参照して説明する。
この図に示す画像形成装置１０は複写装置として構成されたものであり、装置本体のほぼ中央に画像形成部１が配置され、この画像形成部１の下方に給紙部２が配置されている。給紙部２は各段に給紙トレイ２１を備えている。画像形成部１の上方には原稿を読み取る読取部３が配設されている。画像形成部１の左側には排紙収納部４が形成され、画像形成された用紙が排紙収納される。
【００４７】
画像形成部１には作像ユニット６が配置され、像担持体である感光体ドラム６１の周囲には、感光体表面に帯電処理を行う帯電器６２，感光体表面に形成された静電潜像を可視化する現像装置６３及び感光体に残留するトナーを除去回収するクリーニング装置６４等が配置されている。また、作像ユニット６の上方には、上記説明した光走査装置１００が配設されている。そして、感光体ドラム６１の下には、感光体６１上に作像されたトナー像を用紙に転写する転写装置５１が配置されている。その転写装置５１の側方には、用紙上に転写されたトナーを、一対のローラ間を通過して熱と圧力を加えることによってトナー像を定着処理する定着装置５２が配置されている。定着装置５２を通過した用紙は排紙ローラ５３により排紙収納部４に排紙される。
【００４８】
給紙部２においては、各段の給紙トレイ２１に未使用の用紙が収容されており、回動可能に支持された底板２４が最上紙をピックアップローラ２５が当接可能な位置まで上昇させる。給紙ローラ２６の回転により、最上紙は給紙トレイ２１から送り出され、搬送ローラ対２７，２８によりレジストローラ対２９へと搬送される。
【００４９】
レジストローラ対２９は用紙の搬送を一時止め、感光体ドラム６１表面のトナー像と用紙先端との位置関係が所定の位置になるよう、タイミングをとって回転が開始するよう、制御される。
【００５０】
読取部３では、コンタクトガラス３１上に載置される原稿の読み取り走査を行うために、原稿照明用光源とミラーよりなる読み取り走行体３２，３３が往復移動する。この読み取り走行体３２，３３により走査された画像情報は、レンズ３４の後方に設置されているＣＣＤ３５に画像信号として読み込まれる。この読み込まれた画像信号は、画像処理部（図示せず）によってデジタル化され画像処理される。画像形成部１では、画像処理部によって処理された画像信号に基づいて、光走査装置１００内のレーザダイオード（ＬＤ）の発光により感光体ドラム６１の表面に静電潜像が形成される。読取部３の上方には、原稿を自動的に搬送する自動原稿搬送装置３０が取り付けられている。
【００５１】
なお、両面印刷時は、定着後の用紙が分岐部９１にて分岐され、反転両面部９０で用紙が反転されてレジストローラ対２９まで搬送され、レジストローラ対２９で用紙のスキューが補正され、裏面画像形成動作に至る。
【００５２】
本例の画像形成装置１０は、上記のように原稿を読み取りデジタル化して用紙に複写する、いわゆるデジタルコピー機としての機能の他に、図示せぬ制御部により原稿の画像情報を遠隔地と授受するファクシミリの機能や、コンピュータが扱う画像情報を用紙上に印刷するいわゆるプリンタの機能を有する多機能の画像形成装置である。
【００５３】
以上、本発明を図示例により説明したが、本発明はこれに限定されるものではない。例えば、ポリゴンミラーを覆うカバーの形状や構造などは適宜設定することができる。また、スキャナ基板の材料や構造なども任意であるし、スキャナ基板に搭載する要素も任意である。さらに、制御基板（ポリゴンスキャナの駆動回路）をスキャナ基板と一体に設けてポリゴンスキャナに搭載する構成も可能である。また、スキャナユニット装着部の形状等も任意であり、ハウジング底板から立ち上げる壁部の高さなども適宜設定できるものである。
【００５４】
また、光走査装置におけるレンズやミラー等の光学素子の配置などは任意である。図１では、光学ハウジング１０１から図の下方に走査光を出すよう構成したが、図の上方に走査光を出すことも可能である。さらに、本発明は、マルチビーム方式の光走査装置や、ポリゴンミラーの両側に光学素子を２組配置したフルカラー画像形成装置用の光走査装置にも適用可能である。
【００５５】
画像形成装置においては、作像部をはじめとして各部の構成も任意であり、モノクロ装置に限らず、多色機やフルカラー機にも本発明を適用することができる。もちろん、画像形成装置としては複写機に限らず、プリンタやファクシミリ、あるいは複数の機能を備える複合機であっても良い。
【図面の簡単な説明】
【００５６】
【図１】本発明に係る光走査装置の一例における要部構成を示す斜視図である。
【図２】光学ハウジングの一部とともに、ポリゴンスキャナを分解して示す模式図である。
【図３】ポリゴンススキャナの要部構成を示す斜視図である。
【図４】スキャナ基板の構成例を示す平面図及び側面図である。
【図５】ポリゴンスキャナを光学ハウジングに取り付けた様子を示す断面図である。
【図６】光学ハウジングの裏面側に設けた放熱フィンを示す部分斜視図である。
【図７】本発明による光走査装置の音響レベルを測定したグラフ及び表である。
【図８】比較例の光走査装置の音響レベルを測定したグラフ及び表である。
【図９】他の比較例の光走査装置の音響レベルを測定したグラフ及び表である。
【図１０】光走査装置の第２実施例を示す模式図である。
【図１１】本発明による光走査装置を備える画像形成装置の一例を示す断面構成図である。
【符号の説明】
【００５７】
１０            画像形成装置
１００          光走査装置
１０１          光学ハウジング
１０１ａ        ハウジング底板
１０２          スキャナユニット装着部
１０２ａ        壁部
１０２ｄ        スキャナ基板取付面
１０３          ｆθレンズ
１０４          長尺レンズ
１０５          反射鏡
１０６          光源ユニット
１０９          制御基板（ポリゴンスキャナ駆動回路）
１１０          ポリゴンスキャナ
１１１          ポリゴンミラー
１１２          回転シャフト
１１３          軸受
１１４          スキャナ基板
１１５          ポリゴンカバー
１１６          励磁コイル
１１７          コネクタ
【図１】
0005272523.tif 000002
【図２】
0005272523.tif 000003
【図３】
0005272523.tif 000004
【図４】
0005272523.tif 000005
【図５】
0005272523.tif 000006
【図６】
0005272523.tif 000007
【図７】
0005272523.tif 000008
【図８】
0005272523.tif 000009
【図９】
0005272523.tif 000010
【図１０】
0005272523.tif 000011
【図１１】
0005272523.tif 000012